(57)【要約】【課題】一部の領域のみ撮影領域として選択して撮像するモードを持つ撮像装置で、撮影領域外に存在する測距視野に対しても、測光手段からの情報を提供することにより、撮影領域内外問わず測距精度の向上を提供すること。【解決手段】一部の領域のみ撮影領域として選択して撮像するモード時にマスクされる範囲に測距視野が存在する場合には、測光手段の検出時に、マスク手段の表示を消灯し、検出時以外は点灯させることにより、測光手段に対しては透過状態として認識させると共に、ユーザに対してはマスク状態として認識させることで、表示状態としてはマスク状態でありながら、マスク領域内の情報を取得し、焦点検出に利用することが出来る様にしたことを特徴とする。【選択図】図４
2016142773.tif 000002
【特許請求の範囲】
【請求項１】
撮像手段の有効領域（１０００）に対して一部の領域のみ撮影領域として選択して撮像するモードを持つ撮像装置で、観察光学系は、画像取得領域を表示するマスク領域（１０４０）を表示可能に構成されており、焦点検出領域（１０３０）がマスク手段の表示範囲であるマスク領域（１０４０）に対しても配置されている撮像装置において、
（マスク手段の表示を点滅表示として、）マスク領域（１０４０）の非表示に同期させて観察光学系内部の検出手段（測光手段）（１１０）の検出を実行する様に構成したことを特徴とする撮像装置。
【請求項２】
（前記点滅表示は）前記マスク領域（１０４０）の非表示は、焦点検出モードが被写体に対して連続して焦点検出を実施するサーボモード時に実施することを特徴とする請求項１に記載の撮像装置。
【請求項３】
前記検出手段の検出結果に基づいて、焦点検出結果を補正することを特徴とする請求項１又は請求項２に記載の撮像装置。
【請求項４】
前記マスク領域（１０４０）の非表示タイミングは、被写界の光源の点滅周期に応じて変更することを特徴とする請求項１乃至請求項３の何れか一項に記載の撮像装置。
【請求項５】
焦点検出動作中に少なくとも１回は測光動作、被写体検出動作を実行することを特徴とする請求項１乃至請求項４の何れか一項に記載の撮像装置。
【請求項６】
焦点検出動作と測光動作を同期させて実行することを特徴とする請求項１乃至請求項５の何れか一項に記載の撮像装置。
【請求項７】
（前記点滅表示は）前記マスク領域（１０４０）の非表示は、少なくとも焦点検出領域（１０３０）が含まれているマスク領域（１０４０）に対して実施することを特徴とする請求項１乃至請求項６の何れか一項に記載の撮像装置。
【発明の詳細な説明】
【技術分野】
【０００１】
本発明は、撮像画像領域を変更可能な撮像装置に関し、特に観察光学系に遮光マスクを表示する場合の情報の取得と焦点検出結果への適応に関する。
【背景技術】
【０００２】
従来、撮像装置に搭載されている撮像素子の大きさに対して、一部分の画像を取得して記録を行うクロップ撮影機能を搭載している撮像装置が存在している。そのようなクロップ撮影機能においては、観察光学系であるファインダー上にて、非撮影領域の輝度を低下させるなどして撮影領域を明確に表示する機能が知られている。
【０００３】
特許文献１には、撮像装置が所定領域に含まれる画像のみを記録するクロップ撮影に設定されている場合に、撮像装置に設定された動作モードに合わせて、ファインダー上に表示する非撮影領域を示す遮光マスクの透過率を変更して半透過で表示するものが開示されている。
【先行技術文献】
【特許文献】
【０００４】
【特許文献１】特開２０１２−１８１３２３号公報
【発明の概要】
【発明が解決しようとする課題】
【０００５】
しかしながら、上述の特許文献１に開示された従来技術では、クロップ撮影に設定されている場合には、半透過のマスクにて常にファインダー光束を減光しているため、ピント板を通しての各種測定に対して撮影領域外に設定された半透過のマスク部の輝度が低下し、マスクが存在しない領域に対して検出能力が低下してしまう。
【０００６】
そこで、本発明の目的は、観察光学系の非撮像領域に表示される遮光マスク領域に存在する測距視野に対しても、遮光マスクの非表示に同期させて測光手段からの情報を遮光マスク領域以外と同等に取得し、撮像装置の制御に適応することを可能にした撮像装置を提供することにある。
【課題を解決するための手段】
【０００７】
上記の目的を達成するために、本発明は、
撮像手段の有効領域（１０００）に対して一部の領域のみ撮影領域として選択して撮像するモードを持つ撮像装置で、観察光学系は、画像取得領域を表示するマスク領域（１０４０）を表示可能に構成されており、焦点検出領域（１０３０）がマスク手段の表示範囲であるマスク領域（１０４０）に対しても配置されている撮像装置において、
（マスク手段の表示を点滅表示として、）マスク領域（１０４０）の非表示に同期させて観察光学系内部の検出手段（測光手段）（１１０）の検出を実行する様に構成したことを特徴とする。
【発明の効果】
【０００８】
本発明によれば、ユーザーに対して、有効領域に対して一部分の領域のみ撮影領域として選択して撮像する場合にも、撮影領域を明確に表示すると共に、検出手段により撮影領域内のみでなく撮影領域外の情報についても同等に検出することを可能とする撮像装置の提供を実現できる。
【図面の簡単な説明】
【０００９】
【図１】撮像装置としてのカメラの概略構成を示す概略図
【図２】撮像装置の概略構成を示すブロック図
【図３ａ】接眼光学系から観察したファインダーの状態を示す図
【図３ｂ】接眼光学系から観察したファインダーの状態を示す図
【図３ｃ】接眼光学系から観察したファインダーの状態を示す図
【図３ｄ】接眼光学系から観察したファインダーの状態を示す図
【図３ｅ】接眼光学系から観察したファインダーの状態を示す図
【図３ｆ】接眼光学系から観察したファインダーの状態を示す図
【図３ｇ】接眼光学系から観察したファインダーの状態を示す図
【図４】表示手段の表示タイミングを示すタイミングチャート
【図５】撮像装置の撮影動作を示すフローチャート
【図６】撮像装置の測光手段の検出動作を示すフローチャート
【図７】撮像装置の撮像処理を示すフローチャート
【図８】撮像装置の焦点調節処理を示すフローチャート
【発明を実施するための形態】
【００１０】
以下に、本発明の好ましい実施の形態を、添付の図面に基づいて詳細に説明する。
【実施例１】
【００１１】
以下、本発明の第１の実施例による、撮像装置について説明する。図１に、本発明の実施例１である観察光学系を含む撮像装置の構成を示す。
【００１２】
図１において、１００は撮像装置である。１０１は観察光学系であるところの光学ファインダを構成する正立正像光学系であり、１０２は接眼光学系である接眼レンズ、１０３はファインダスクリーンである。
【００１３】
１０４は撮像光束をファインダ光学系に偏向するメインハーフミラー（以下、メインミラーという）であり、１０５は撮像光束を後述する焦点検出ユニットに偏向するサブミラーである。メインミラー１０４とサブミラー１０５とによって光路分割光学系であるところのミラー手段が構成される。１０６は撮像手段を構成するＣＣＤセンサやＣＭＯＳセンサ等の撮像素子であり、１０７は撮像素子１０６の露光を制御するフォーカルプレーンシャッタである。
【００１４】
１０８は、フラッシュ手段であるところの撮像装置１００に備えられた内蔵フラッシュユニットである。
【００１５】
１０９は焦点検出ユニットである。焦点検出ユニット１０９は、少なくとも一対の画素列（ラインセンサ）を有し、該一対のラインセンサは撮影光学系からの光束によって形成された一対の像を光電変換して信号を出力する。
【００１６】
１１０は検出手段であるところの被写体輝度を測定する測光センサであり、１１１は測光センサ１１０に被写体からの光束を結像させる測光レンズである。
【００１７】
１１２は撮像装置１００の各種動作の制御を司るカメラマイクロプロセッサである。１１４は内蔵フラッシュユニットに設けられたフレネルレンズである。
【００１８】
１１５は、光学ファインダを覗いた観察者に対して各種情報を表示するファインダ表示ユニットである。１１６は撮像装置１００の外面に設けられた外部表示ユニットであり、電子ビューファインダ（ＥＶＦ）として機能する。１１７は撮像素子１０６の前面に配置されたローパスフィルタである。
【００１９】
ここで、観察光学系の構成を説明すると、撮影レンズ２００により、焦点板であるファインダースクリーン１０３に結像された被写体像は、ファインダースクリーン１０３近傍に配置されているファインダ表示ユニット１１５を通して、接眼光学系により観察される。ファインダースクリーン１０３は、拡散特性を有しており、接眼光学系とは異なる方向に拡散光を照射しており、測光レンズ１１１を通して、測光センサ１１０によりファインダースクリーン１０３を観察することにより、被写体の露出値などを検出している。
【００２０】
本実施例では、接眼光学系が所定角度ずれた方向から観察する測光光学系を示したが、接眼光学系の間に、ハーフミラーなどを配置し光束を分割してもよい。
【００２１】
２００は撮像装置１００に対して着脱が可能な交換レンズであり、以下に交換レンズ２００の構成について説明する。
【００２２】
２０１は交換レンズ２００の各種動作の制御を司るレンズマイクロプロセッサであり、通信接点を介してカメラマイクロプロセッサ１１２と通信を行う。２０２は撮影光学系を構成する結像光学系であるレンズであり、２０３は光量調節を行う絞りである。なお、図１では、レンズを１枚しか記載していないが、実際には撮影光学系は複数枚のレンズにより構成されている。
【００２３】
本実施例においては、撮像装置１００（カメラマイクロプロセッサ１１２）は、交換レンズ２００（レンズマイクロプロセッサ２０１）と通信を行う。これにより、交換レンズ２００が保有する情報を使用して制御を行う。
【００２４】
図２は上記撮像システムの各部（撮像装置１００、交換レンズ２００）の回路構成を示すブロック図である。
【００２５】
図２において、撮像装置１００は、以下の１〜１６に示す構成要素を具備している。１１２は撮像装置１００の制御を司るマイクロプロセッサ（撮像制御回路）、２は撮像装置１００の可動部分の駆動を行うためのモータ駆動回路である。３は被写体の輝度を測定するための測光部（図１の測光装置１１０に含まれる）、４は交換レンズ２００の焦点状態を検出する焦点検出部（図１の焦点検出装置１０９に含まれる）である。６は撮像装置１００の露光量の制御を行うシャッタ制御回路であり、図１のシャッタ装置１０７に含まれる。
【００２６】
７は撮像装置１００に取り込む光束を制御する絞り制御回路であり、図１の絞り装置２０２を制御する。８は撮像装置１００の状態を表示する表示装置であり、図１のファインダ表示部１１５および外部表示部１１６を含む。９は図１の内蔵フラッシュ１０８を制御するフラッシュ制御回路である。１０は撮像装置１００の設定状態を格納するための記憶回路、１１は撮像処理を行うための撮像回路、１３は撮像装置１００に装着される交換レンズ２００と通信を行うためのレンズ通信回路である。
【００２７】
１４（ＳＷ１）は撮像準備動作を開始するためのスイッチ、１５（ＳＷ２）は撮像を開始するためのスイッチである。内蔵フラッシュ１０８は、外部フラッシュの未装着時に被写体を撮像時に照明するのみでなく、焦点検出時にも、被写体を照射する補助光としての機能も持っている。１６は撮像装置１００のミラー駆動速度を設定するミラー駆動速度設定部である。
【００２８】
交換レンズ２００は、２１〜２９の構成要素を具備している。２０１は交換レンズ２００の制御を司るマイクロプロセッサ（レンズ制御回路）、２２は交換レンズ２００の設定値を保持する記憶回路、２３は交換レンズ２００の駆動を行うレンズ駆動回路である。２４は交換レンズ２００の位置検出を行うレンズ位置検出回路、２５は交換レンズ２００の設定されている焦点距離を検出するレンズ焦点距離検出回路である。２６は図１の絞り装置２０３に含まれ、絞りを駆動する絞り駆動回路、２７は交換レンズ２００に装着されている付属品を検知する付属品検知回路である。２８は交換レンズ２００に装着されている付属品を検知する付属品検知スイッチ、２９は撮像装置１００及び交換レンズ２００に装着される付属品との通信を行うためのレンズ通信回路である。
【００２９】
本実施例において、レンズ通信回路２９は、撮像装置１００からの制御命令を通信すると共に交換レンズ２００に保持されている形状情報や、交換レンズ２００に装着されている付属品情報、レンズ設定値などを通信するように構成されている。
【００３０】
図３は接眼光学系から観察したファインダーの状態を示している。図３において示すように、本実施例の撮像装置は、撮像素子のサイズに対して、全領域を使用する全領域モードに対して、一部の領域のみ撮像する一部画像取得モードを少なくとも一つ有している。
【００３１】
図３ａにおいては、全領域モードの状態を示しており、１０００は、撮影装置が撮像できる有効領域であるところの全画面領域を示しており、図３ａにおいては、画面全領域を使用するため、撮影領域１０１０は全画面領域１０００と一致している。このため、ファインダー表示ユニット１１５によって表示されるマスク手段は表示されていない。
【００３２】
１０２０は、測光領域を示しており、測光センサが測光光学系を通して、被写体像の状態を検出する領域と一致している。本実施例においては、９×１７分割の例を示したが、この分割に限るものではない。
【００３３】
１０３０は測距領域を示しており、焦点板と撮像光学系の間で光束を分割してファインダー光学系とは別の焦点検出系にて焦点検出を行う領域を示している。前記焦点検出系は、専用の検出装置として検出手段を設けてもよいし、撮像素子を用いた焦点検出系でもよい。
【００３４】
本図に示す全領域モードの場合には、測光領域１０２０、測距領域１０３０は撮影領域１０１０の内部に存在している。
【００３５】
図３ｂから図３ｇにおいては、一部画像取得モードの例を示している。図３ｂ、図３ｄ、図３ｆにおいては、撮像しない領域について輝度を低下させた状態を示しており、撮影領域１０１０は全画面領域１０００よりも内側に存在しており、周囲に撮像しない領域が存在している。図３ｂ、図３ｄ、図３ｆで示した状態では、測光領域１０２０、測距領域１０３０は撮影領域１０１０よりも広い範囲に設定されている。本実施例においては、撮影領域１０１０の外部のマスク領域１０４０を、内部の撮影領域１０１０に対して、撮影範囲を明確にするために、マスク手段によってグレーアウトさせるなどして、被写体像の輝度を低下させている。前記グレーアウトの方法として、図３においては、マスクパターンを表示した一例を示したがパターンについてはこれに限るものではなく、全体的に均一に輝度を低下させる、遮光するなど各種方法が考えられ、手段は問わない。
【００３６】
図３ｂ、図３ｄ、図３ｆに示す様に、本例においては、測光領域１０２０および測距領域１０３０が撮影領域１０１０外の領域に存在しているため、ファインダー光学系の光束を利用して検出している測光領域は検出できなくなる。
【００３７】
図３ｃ、図３ｅ、図３ｇにおいては、撮像しない領域について輝度を低下させていない状態を示しており、それぞれ、図３ｂに対して図３ｃ、図３ｄに対して図３ｅ、図３ｆに対して図３ｇが対応している。この状態で検出を行うことで、全画面領域１０００の情報を取得することが出来る。
【００３８】
図４は表示手段の表示タイミングを示すタイミングチャートである。図４においては、撮像装置が一部分の画像を取得して記録を行うクロップモードに設定されている場合に、周期的に表示と非表示を切り替えるファインダ表示ユニット１１５の動作と測光手段の動作（ＡＥ）と測距手段の動作（ＡＦ）の関係を示している。
【００３９】
図４においては、マイクロプロセッサ１００からの制御信号により、ファインダー表示ユニット１１５には、表示と非表示を行う表示制御信号が順次、送出される。表示制御信号の表示ＯＮ／表示ＯＦＦに基づいて、ファインダ表示ユニット１１５は、ファインダ状態を透過と非透過に順次切り替える。
【００４０】
ファインダ表示ユニット１１５の表示状態の切り替えには、所定の時間が必要となるため、制御信号のタイミングに対して所定時間遅延させたのち、ＡＥ制御信号に基づいて測光手段の動作開始となる。前記遅延時間の設定は、周囲の温度等、各種条件に基づいて設定される。
【００４１】
測光手段の動作が終了したことが検出されると、マイクロプロセッサ１００からファインダ表示ユニット１１５に対して、表示をＯＮする信号が送出され、ファインダー表示ユニット１１５は、マスク表示を行う。
【００４２】
ここで、測距手段の動作については、ファインダ表示ユニット１１５の動作には関係なく実施できるため、図４に示すように、ファインダ表示ユニット１１５の状態にかかわらずＡＦ制御信号のＯＮ／ＯＦＦに基づき検出が実施されることとなる。図４においては、測光手段の検出動作の４回に１回検出を行う例を示しているが、同期させて検出手段を行っても良いし、測光手段の検出動作と同期していなくてもよい。
【００４３】
図５は撮像装置の撮影動作を示すフローチャートを示している。
【００４４】
図５において、処理が開始されると、ステップ１００（以下Ｓ１００と示す）において、撮像装置のレリーズＳＷ２がＯＮしているか否かの判定を行っている。Ｓ１００において、ＳＷ２がＯＮしていると判定された場合には、次のＳ１１０に移行する。
【００４５】
Ｓ１１０においては、測光手段の有効な測光結果が存在しているか否かの判定を行っている。Ｓ１１０において、有効な測光結果が存在していると判定された場合には、次のＳ１３０に移行する。Ｓ１１０において、有効な測光結果が存在していないと判定された場合には、次のＳ１２０に移行する。
【００４６】
Ｓ１２０においては、測光処理のサブルーチンを実行し、次のＳ１３０に移行する。
【００４７】
Ｓ１３０においては、撮像処理のサブルーチンを実行し、次のＳ１４０に移行する。
【００４８】
Ｓ１４０においては、ＳＷ２がＯＮしているが否かの判定を行っている。Ｓ１４０において、ＳＷ２がＯＮしている場合には、Ｓ１３０に移行し、撮像処理を実行する。Ｓ１４０において、ＳＷ２がＯＮしていないと判定された場合には、次のＳ２００に移行する。
Ｓ１００において、ＳＷ２がＯＮしていないと判定された場合には、次のＳ２００に移行する。
【００４９】
Ｓ２００においては、ＳＷ１がＯＮしているか否かの判定を行っている。Ｓ２００において、ＳＷ１がＯＮしていると判定された場合には、次のＳ２１０に移行する。Ｓ２００において、ＳＷ１がＯＮしていないと判定された場合には、メインルーチンに復帰する。
【００５０】
Ｓ２１０においては、測光処理のサブルーチンを実行し、次のＳ２２０に移行する。Ｓ２２０においては、焦点調節処理のサブルーチンを実行し、Ｓ１００に復帰する。
【００５１】
図６は撮像装置の測光手段の検出動作を示すフローチャートを示している。
【００５２】
Ｓ５００において、撮像装置のレリーズＳＷ１がＯＮしているか否かの判定を行っている。Ｓ５００において、ＳＷ１がＯＮしていると判定された場合には、次のｓ５１０に移行する。Ｓ５００において、ＳＷ１がＯＮしていないと判定された場合には、メインルーチンに復帰する。
【００５３】
Ｓ５１０においては、撮像装置がクロップモードに設定されているか否かの判定を行っている。Ｓ５１０において、撮像装置がクロップモードに設定されていると判定された場合には、次のＳ５１３に移行する。Ｓ５１０において、クロップモードで無いと判定された場合にはＳ５４０に移行する。
【００５４】
Ｓ５１３においては、被写体の照明光源の解析を行い、次のＳ５１５に移行する。
【００５５】
Ｓ５１５においては、照明光源に点滅周期が存在しているか否かの判定を行っている。
【００５６】
Ｓ５１５において、光源の点滅周期が存在すると判定された場合には、次の値Ｓ５１７に移行する。Ｓ５１５において、光源の点滅周期が存在しないと判定された場合には、次のＳ５２０に移行する。
【００５７】
Ｓ５１７においては、照明光源が点灯しているタイミングか否かの判定をしている。Ｓ５１７において、照明光源の点灯タイミングであると判定された場合には、次のＳ５２０に移行する。Ｓ５１７において、照明光源の点灯タイミングではないと判定された場合には、再度判定を実施する。
【００５８】
Ｓ５２０においては、表示手段の表示パターンがＯＮしているか否かの判定を行っている。Ｓ５２０において、表示パターンがＯＮしていると判定された場合には、次のＳ５３０に移行する。Ｓ５２０において、表示パターンがＯＮしていないと判定された場合には、次のＳ５４０に移行する。
【００５９】
Ｓ５３０においては、表示手段に表示されている撮影領域を表示している表示パターンを消灯し次のＳ５４０に移行する。
【００６０】
Ｓ５４０においては、表示パターンＯＦＦから所定時間経過しているか否かの判定を行っている。Ｓ５４０において、表示パターンＯＦＦから所定時間経過していないと判定された場合には、再度所定時間経過しているか否かの判定を行う。Ｓ５４０において、表示パターンＯＦＦから所定時間経過していると判定された場合には、表示パターンの切り替えが完了しているため、次のＳ５５０に移行する。
【００６１】
Ｓ５５０においては、測光処理を実行し、次のＳ５６０に移行する。
【００６２】
Ｓ５６０においては、表示ＯＦＦ時間が所定値以上であるか否かの判定を行っている。Ｓ５６０において、表示ＯＦＦ時間が所定値以上であると判定された場合には、次のＳ５７０に移行する。
【００６３】
Ｓ５７０においては、測光を停止し、次のＳ５８０に移行する。Ｓ５６０において、表示ＯＦＦ時間が所定値未満と判定された場合には、再度、Ｓ５６０にて、判定を実施する。
【００６４】
Ｓ５８０においては、撮像装置がクロップモードに設定されているか否かの判定を行っている。Ｓ５８０において、クロップモードに設定されていると判定された場合には、次のＳ５９０に移行する。Ｓ５８０において、クロップモードに設定されていないと判定された場合には、メインルーチンに復帰する。
【００６５】
Ｓ５９０においては、表示手段に対して撮影領域を表示する表示パターンを表示しメインルーチンへ復帰する。
【００６６】
上記ルーチンは撮像装置の動作モードとしてクロップモードに設定されているか判定を行い、クロップモードが設定されている場合には、測光動作時のみ表示パターンを消灯し、測光終了と共に表示手段の表示パターンを表示する部分のみを示しており、実際の制御には測距動作、撮像動作のトリガーとなるＳＷ２のＯＮ判定など、複数の動作の判定が実施される。
【００６７】
本実施例の様に、撮影範囲外に測距領域が存在する場合、実際には撮影範囲外に存在する測距領域にて焦点調節を行い、被写体を撮像することは無いが、被写体の動作に追従させる場合には、被写体が画面外に外れてしまうこともあるため、撮影範囲外まで検出を行い、被写体に追従させることは有効である。この場合、焦点検出系の情報のみでなく、測光光学系の情報を撮影範囲外まで取得できるようにすることにより、測光光学系にて取得した被写体情報から焦点検出情報を補正することで、撮影領域外の焦点検出領域も含めて被写体への焦点調節の追従精度を向上することが可能となる。
【００６８】
上記表示パターンのＯＮ／ＯＦＦは、すべての領域を一律に制御しても良いし、被写体が存在していると考えられる領域のみＯＮ／ＯＦＦさせることで、情報の取得を行っても良い。
【００６９】
図７は撮像装置の撮像処理を示すフローチャートである。
【００７０】
図７において、撮像処理が開始されると、Ｓ７００においては、測光処理等より得られた情報に基づき、撮像条件の設定を行い、次のＳ７１０に移行する。
【００７１】
Ｓ７１０においては、撮像装置の撮影準備動作を実行し、次のＳ７２０に移行する。上記撮影準備動作とは、ミラー退避動作、絞り駆動動作などが相当する。
【００７２】
Ｓ７２０においては、撮像素子の蓄積制御を開始し、次のＳ７３０に移行する。
【００７３】
Ｓ７３０においては、シャッター走行等により、露光処理を実行し、次のＳ７４０に移行する。
【００７４】
Ｓ７４０においては、撮像素子の蓄積制御を停止し、次のＳ７５０に移行する。
【００７５】
Ｓ７５０においては、撮像素子から画像データの読み出しを実行し、メインルーチンに復帰する。
【００７６】
図８は撮像装置の焦点調節処理を示すフローチャートである。
【００７７】
図８において、焦点調節処理が開始されると、Ｓ８００においては、レリーズＳＷ１がＯＮしているか否かの判定を行っている。Ｓ８００において、レリーズＳＷ１がＯＮしていると判定された場合には、次のＳ８１０に移行する。Ｓ８００において、レリーズＳＷ１がＯＮしていないと判定された場合には、メインルーチンに復帰する。
【００７８】
Ｓ８１０においては、焦点検出手段による画像の取得、演算処理等を実行する焦点検出処理を実行し、次のＳ８２０に移行する。
【００７９】
Ｓ８２０においては、焦点検出処理を実行した時間と略同一の時間に検出された測光情報が存在しているか否かの判定を行っている。Ｓ８２０において、測光情報が存在していると判定された場合には、次のＳ８３０に移行する。Ｓ８２０において、測光情報が存在していないと判定された場合には、後述のＳ９００に移行する。
【００８０】
Ｓ８３０においては、測光手段にて検出した測光情報を取り込み、次のＳ８４０に移行する。この測光情報には、露出情報、被写体の位置情報、色情報、光源情報等、観察光学系にて取得された各種情報が含まれており、この中から必要な情報が取り込まれる。
【００８１】
Ｓ８４０においては、撮像装置の測距視野の選択モードがどの様に設定されているかの判定を行っている。Ｓ８４０において、測距視野の選択モードが複数の測距視野の中から測距視野の選択を自動的に行う自動選択モードに設定されている場合には、次のＳ８５０に移行する。Ｓ８４０において、測距視野の選択モードが任意の測距視野をあらかじめ指定する任意点選択モードに設定されている場合には、後述のＳ８８０に移行する。
【００８２】
Ｓ８５０においては、測光情報から被写体位置情報を抽出し、次のＳ８６０に移行する。
【００８３】
Ｓ８６０においては、抽出した被写体位置情報から被写体位置を算出し、次のＳ８７０に移行する。
【００８４】
Ｓ８７０においては、測光情報からの被写体位置情報と焦点検出処理で得られた被写界のビント情報を基に、実際に使用する焦点検出視野を決定して、次のＳ８８０に移行する。
【００８５】
Ｓ８８０においては、焦点調節に用いる焦点補正値の算出を行い、次のＳ８９０に移行する。
【００８６】
Ｓ８９０においては、焦点検出処理にて得られた焦点検出結果に対して、測光情報による補正値を適応し、次のＳ９２０に移行する。
【００８７】
Ｓ９００においては、測距視野の選択モードが任意点選択モードに設定されていると判定された場合には、次のＳ９２０に移行する。Ｓ９００において、測距視野の選択モードが自動選択モードに設定されていた場合には、次のＳ９１０に移行する。
【００８８】
Ｓ９１０においては、測距視野の決定処理をして、次のＳ９２０に移行する。
【００８９】
Ｓ９２０においては、焦点状態が合焦状態であるか否かの判定を行っている。Ｓ９２０において、合焦していると判定された場合には、次のＳ９４０に移行する。Ｓ９４０においては、合焦表示を行い、メインルーチンに復帰する。
【００９０】
Ｓ９２０において、合焦していないと判定された場合には、次のＳ９３０に移行する。
【００９１】
Ｓ９３０においては、焦点検出結果に基づき、レンズ鼓動を実施し、Ｓ８００に復帰する。
【符号の説明】
【００９２】
１００  撮像装置、１０６  撮像手段、１１０  検出手段、１０００  全画面領域、
１０１０  撮影領域、１０２０  測光領域、１０３０  測距領域、１０４０  マスク領域
【図１】
2016142773.tif 000003
【図２】
2016142773.tif 000004
【図３ａ】
2016142773.tif 000005
【図３ｂ】
2016142773.tif 000006
【図３ｃ】
2016142773.tif 000007
【図３ｄ】
2016142773.tif 000008
【図３ｅ】
2016142773.tif 000009
【図３ｆ】
2016142773.tif 000010
【図３ｇ】
2016142773.tif 000011
【図４】
2016142773.tif 000012
【図５】
2016142773.tif 000013
【図６】
2016142773.tif 000014
【図７】
2016142773.tif 000015
【図８】
2016142773.tif 000016